(57)【要約】【課題】簡単な作業で見栄え良く化粧瓦棒３０を装着し、フラットな平面になりがちな横葺き屋根４０にアクセントを付ける。【解決手段】横葺き屋根４０の軒−棟方向に、取付金具１０を介し化粧瓦棒３０を取り付ける。取付金具１０は、軒側金属屋根板，棟側金属屋根板の隙間に棟側端部が挿し込まれる着座片１１の軒側端部から固定片１２が起立し、両側壁１７Ｒ，１７Ｌの下部にコ字状収容空間１８Ｒ，１８Ｌが形成された瓦棒支持具１５が固定片１２上部の支持面１３に結合されいる。化粧瓦棒３０は、金属切板から半筒状に成形され、両側壁３１Ｒ，３１Ｌの下部が内側に折り曲げられて係合片３２Ｒ，３２Ｌとなっており、両側壁３１Ｒ，３１Ｌの弾性復元力で付勢された係合片３２Ｒ，３２Ｌが取付金具１０，２０の収容空間１８Ｒ，１８Ｌに収められている。【選択図】  図５
2005002584.tif 000002
【特許請求の範囲】
【請求項１】
金属屋根板を横葺きした金属屋根に取付金具を介し複数の化粧瓦棒を軒−棟方向に沿って取り付けた構造であり、
取付金具は、軒側金属屋根板，棟側金属屋根板の隙間に棟側端部が挿し込まれる着座片の軒側端部から固定片が起立し、両側壁の下部にコ字状収容空間が形成された瓦棒支持具が固定片上部の支持面に結合されており、
化粧瓦棒は、金属切板から半筒状に成形され、両側壁の下部が内側に折り曲げられて係合片となっており、両側壁の弾性復元力で付勢された係合片が取付金具の収容空間に収められており、
取付金具の瓦棒支持具で化粧瓦棒が内側から支持されていることを特徴とする化粧瓦棒取付構造。
【請求項２】
化粧瓦棒の棟側端部に形成されたストッパが取付金具の瓦棒支持具内側に折り曲げられている請求項１記載の化粧瓦棒取付構造。
【発明の詳細な説明】
【技術分野】
【０００１】
本発明は、金属屋根板を用いた横葺き屋根に化粧瓦棒を取り付けて建築物にアクセントをもたせる化粧瓦棒取付構造に関する。
【背景技術】
【０００２】
金属屋根は、比較的軽量であるため下地の骨組み構造体に加わる負荷が小さく、釘やビスで簡単に敷設できることから、一般家屋，公共施設等の各種建築物に適用されている。金属屋根板を横葺きする工法では、所定サイズに成形された単位金属屋根板を軒側から野地板に釘，ビス，ボルト等で固定した後、軒側金属屋根板の棟側端部に棟側金属屋根板の軒側端部を噛み合わせながら軒−棟方向に葺き上げている。
【０００３】
横葺き屋根は、屋根一面にフラットな状態で金属屋根板が敷き詰められるため、単調で印象の薄い屋根に仕上がりやすい。フラットな屋根面にアクセントをつけるため、軒−棟方向に延びる複数の化粧瓦棒を横葺き屋根に取り付ける工法が一部で採用されている。本発明者も、化粧瓦棒を取り付けた横葺き屋根及び化粧瓦棒取付金具を開発している（特許文献１〜３）。
【特許文献１】特開平９−１９５４５０号公報
【特許文献２】特開平９−３２４５０６号公報
【特許文献３】特許第３２３５９９５号公報
【０００４】
横葺き屋根に取り付けられる化粧瓦棒は、所定サイズに裁断した金属切板を半円筒状，将棋駒状等の断面形状に曲げ加工することにより用意している。化粧瓦棒は、軒側金属屋根板と棟側金属屋根板との間に差し込まれた取付金具を介して横葺き屋根に固着される。取付金具／化粧瓦棒の結合は、釘，リベット，ボルトナット等を用いた機械的結合，化粧瓦棒の弾撥力を利用した嵌め合い等に拠っているが、軒側取付金具と棟側取付金具との間で屋根面に対向する化粧瓦棒の下部がフリーになることが多い。フリーな下部は、施工時や風の強い日に外力が加わると変形しやすい部分である。敷設中の屋根面を施工者が移動する際にも道具類がフリーな下部に接触しないように注意する必要があるため、作業性にも改善の余地がある。
【０００５】
【発明の開示】
【発明が解決しようとする課題】
【０００６】
本発明は、このような問題を解消すべく案出されたものであり、屋根面に対向する化粧瓦棒の両側部を内側に折り曲げ、強い弾撥力で取付金具に嵌め合わせることを可能にし、作業者に対する安全性も高めた化粧瓦棒取付構造を提供することを目的とする。
【課題を解決するための手段】
【０００７】
本発明は、金属屋根板を横葺きした金属屋根に取付金具を介し複数の化粧瓦棒を軒−棟方向に沿って取り付けた構造を対象にしている。取付金具は、軒側金属屋根板，棟側金属屋根板の隙間に棟側端部が挿し込まれる着座片の軒側端部から固定片が起立し、両側壁の下部にコ字状収容空間が形成された瓦棒支持具が固定片上部の支持面に結合されている。化粧瓦棒は、金属切板から半筒状に成形され、両側壁の下部が内側に折り曲げられて係合片となっており、両側壁の弾性復元力で付勢された係合片が取付金具の収容空間に収められている。
化粧瓦棒の棟側端部に形成されたストッパが取付金具の瓦棒支持具内側に折り曲げ、化粧瓦棒の棟側端部を取付金具の瓦棒支持具に固定するとき、間口方向に関する化粧瓦棒の位置ズレが防止される。
【発明の効果】
【０００８】
横葺き屋根の軒−棟方向に複数の取付金具を配列した後、弾撥力を利用して化粧瓦棒が取付金具にワンタッチ装着される。そのため、危険な高所作業の負担が軽減され、軒−棟方向に延びる一直線上に化粧瓦棒が配列されるため見栄えの良い仕上がりになる。化粧瓦棒の両側壁を内側に折り曲げて係合片としているので、金属切板のエッジが外部に露出することがなく、エッジとの接触による作業者の怪我や器物の破損が防止される。取付金具の選択に応じ、新設の横葺き屋根を構築する際にも、或いは既設の横葺き屋根に対してもほぼ同様な作業手順で化粧瓦棒を取り付けることができる。
【発明を実施するための最良の形態】
【０００９】
本発明に従った化粧瓦棒取付金具には、金属屋根板を軒−棟方向に横葺きする際に軒側金属屋根板の棟側端部と棟側金属屋根板の軒側端部との間で固着される先付け型，施工された横葺き屋根の軒側金属屋根板の棟側端部と棟側金属屋根板の軒側端部との隙間に挿し込まれる後付け型の二様がある。
先付け型取付金具１０（図１）は、軒側金属屋根板の棟側端部に載置固定される着座片１１を備えている。着座片１１は、軒側金属屋根板の棟側端部形状に合わせて屈曲しており、軒側端部に固定片１２が起立している。着座片１１の棟側端部には、軒側金属屋根板の棟側端部を介して先付け型取付金具１０を野地板に固着する釘，ビス，リベット等の挿通孔１１ａが穿設されている。
【００１０】
固定片１２は、上端が直角に折り曲げられて支持面１３が形成され、ビス，リベット，ボルトナット等で瓦棒支持具１５が固着される固着孔１３ａが支持面１３の中央に穿設されている。
瓦棒支持具１５は、瓦棒を内面側から支持固定する部材であり、瓦棒の内面形状に対応して屈曲されている。瓦棒支持具１５は平坦頂面１６をもち、ビス，リベット，ボルト等を挿通して支持面１３の固着孔１３ａにねじ込む挿通孔１６ａが穿設されている。平坦頂面１６の両側が瓦棒の内面に接する形状に折り曲げられ、側壁１７Ｒ，１７Ｌの下部が更にコ字状に折り曲げられ、化粧瓦棒の側壁下部が嵌め込まれる収容空間１８Ｒ，１８Ｌが形成されている。
【００１１】
後付け型取付金具２０（図２）は、横葺き屋根の軒側金属屋根板と棟側金属屋根板の隙間に棟側端部が挿し込まれる着座片２１をもち、ボルト２１ａを締め付けて着座片２１と押圧片２１ｂとの間で棟側金属屋根板の軒側端部を挟み付けることにより、既設の横葺き屋根に固着される。着座片２１の軒側は、先付け型取付金具１０と同様に固定片２２が起立し、固着孔２３ａが穿設された支持面２３が固定片２２の上部に形成されている。支持面２３に固着される瓦棒支持具２５も、挿通孔２６ａが穿設された平坦頂面２６の両側が所定形状に折り曲げられた側壁２７Ｒ，２７Ｌになっており、側壁２７Ｒ，２７Ｌの下部に収容空間２８Ｒ，２８Ｌが形成されている。
【００１２】
取付金具１０，２０は、一つの着座片１１，２１に瓦棒支持具１５，２５を組み合わせた図１，２に限らず、長尺の瓦棒支持具１５，２５を使用することもできる。長尺の瓦棒支持具１５，２５を使用する場合、軒−棟方向に延ばした瓦棒支持具１５，２５の複数箇所を着座片１１，２１に結合する。着座片１１，２１による結合を容易にする上では、平坦頂面１６，２６の挿通孔１６ａ，２６ａとして瓦棒支持具１５，２５の長手方向に沿った長孔を形成しておく。
【００１３】
取付金具１０，２０で横葺き屋根に取り付けられる化粧瓦棒３０は、需要に応じて種々の断面形状に金属切板を曲げ加工することにより製造され、代表的には半円筒状，将棋駒状等の形状が採用されている。半円筒状化粧瓦棒（図３）は丸い曲線を強調し、将棋駒状化粧瓦棒（図４）は直線がもつシャープさで横葺き屋根にアクセントをつける。横葺き屋根に敷設されている金属屋根板の働き幅に対応するピッチで段を化粧瓦棒３０の下端に付けても良いが、図示するストレートな下端面をもつ化粧瓦棒３０も使用できる。
【００１４】
何れの化粧瓦棒３０も、半円筒状又は将棋駒状上に曲げ加工した金属切板の側壁３１Ｒ，３１Ｌを更に内側に折り込み、取付金具１０，２０の収容空間１８Ｒ，１８Ｌ，２８Ｒ，２８Ｌに嵌め込まれる係合片３２Ｒ，３２Ｌが形成されている。係合片３２Ｒ，３２Ｌの更に内側に折り曲げて先端屈曲部３３Ｒ，３３Ｌを形成すると、係合片３２Ｒ，３２Ｌの弾性復元力が向上すると共に、金属切板のエッジが内部に包み込まれるので作業者の安全も図られる。
【００１５】
棟側端部に位置する側壁３１Ｒ，３１Ｌに切込みを入れ、取付金具１０，２０に化粧瓦棒３０を嵌め合わせた状態で瓦棒支持具１５，２５に折り込まれるストッパ３４Ｒ，３４Ｌを形成することが好ましい。ストッパ３４Ｒ，３４Ｌを瓦棒支持具１５，２５に折り込むと、瓦棒支持具１５，２５に嵌め合わせた化粧瓦棒３０の間口方向ズレが防止される。
化粧瓦棒３０の内側に、補強瓦棒３５が必要に応じて組み込まれる。補強瓦棒３５は、化粧瓦棒３０の断面形状に応じ、単純な半円筒状，将棋駒状等に成形されている。補強瓦棒３５は、内側から化粧瓦棒３０を支持し、化粧瓦棒３０の変形を防止する。
【００１６】
次いで、先付け型取付金具１０を用いて半円筒状化粧瓦棒３０を横葺き屋根に取り付ける作業を説明するが、後付け型取付金具２０や他の断面形状をもつ化粧瓦棒３０を使用する場合でもほぼ同様な作業工程を経る。
横葺き屋根４０（図５）は、アスファルトルーフィングした野地板４１上に軒側金属屋根板４２１を敷いた後、軒側金属屋根板４２１の棟側端部に棟側金属屋根板４２２の軒側端部を嵌め合わせ、順次軒−棟方向に葺き上げることにより構築される。金属屋根板４２１，４２２・・・・・・４２ｎの敷設に先立ち、化粧瓦棒３０が取り付けられる位置に墨打ち線４３を予め罫書きし、先付け型取付金具１０が配置される個所に捨て板４４を墨打ち線４３に沿って配置しておく。
【００１７】
軒側金属屋根板４２ｎ−１を野地板４１に固定した後、軒側金属屋根板４２ｎ−１の棟側端部に先付け型取付金具１０の着座片１１を重ね合わせ、釘，リベット，ボルト等の固着具を挿通孔１１ａに刺し通し、先付け型取付金具１０を野地板４１に固着する。次いで、棟側金属屋根板４２ｎの軒側端部を軒側金属屋根板４２ｎ−１の棟側端部に嵌め合わせて棟側金属屋根板４２ｎを野地板４１に固着すると、軒側金属屋根板４２ｎ−１と棟側金属屋根板４２ｎの隙間から先付け型取付金具１０が軒側に臨む。
【００１８】
先付け型取付金具１０は、化粧瓦棒３０の単位長さに相当するピッチで横葺き屋根の軒−棟方向に沿って複数配置される。軒−棟方向に関して隣り合う先付け型取付金具１０，１０それぞれに補強瓦棒３５を被せ、補強瓦棒３５を介して化粧瓦棒３０が装着される。補強瓦棒３５は、軒側化粧瓦棒３０と棟側化粧瓦棒３０の間に位置させることが好ましい。
【００１９】
化粧瓦棒３０の装着に際しては、側壁３１Ｒ，３１Ｌを若干押し広げ、係合片３２Ｒ，３２Ｌが側壁１７Ｒ，１７Ｌを乗り越えた時点で押広げ力から解放する。その結果、側壁３１Ｒ，３１Ｌが弾性復元し、係合片３２Ｒ，３２Ｌが収容空間１８Ｒ，１８Ｌに嵌まり込む。収容空間１８Ｒ，１８Ｌに係合片３２Ｒ，３２Ｌが嵌まり込んだ状態では、瓦棒支持具１５の傾斜面１９Ｒ，１９Ｌ（図６ａ）で化粧瓦棒３０が内側から支持されるため、化粧瓦棒３０の型崩れが防止される。また、側壁３１Ｒ，３１Ｌの弾性復元力に抗して係合片３２Ｒ，３２Ｌが側壁１７Ｒ，１７Ｌを乗り越える力が加えられない限り、軒−棟方向に沿った所定位置に化粧瓦棒３０が固定される。
【００２０】
弾性復元力の利用で化粧瓦棒３０の固定が図られるが、軒−棟方向に沿った化粧瓦棒３０の適宜個所を瓦棒支持具１５にビス，リベット等で固定すると、軒−棟方向に沿った化粧瓦棒３０のズレが確実に防止される。
更に、ストッパ３４Ｒ，３４Ｌを傾斜面１９Ｒ，１９Ｌの内側に折り込むと、間口方向に沿った化粧瓦棒３０のズレが防止される。半円筒状化粧瓦棒３０では傾斜面１９Ｒ，１９Ｌの内側にストッパ３４Ｒ，３４Ｌが折り込まれるが、将棋駒状の化粧瓦棒３０では側壁１７Ｒ，１７Ｌの内側にストッパ３４Ｒ，３４Ｌが折り込まれる（図６ｂ）。
【００２１】
軒−棟方向に沿った複数の先付け型取付金具１０，１０・・・・・・を介し横葺き屋根に取り付けられた化粧瓦棒３０は、軒から棟に向けて一直線上に配置され、フラットな横葺き屋根４０にアクセントを付ける。化粧瓦棒３０の軒側端部は、横葺き屋根４０の途中で止め（図５左）、或いは横葺き屋根４０の軒先から若干突出させても良い（図５右）。途中で止めた化粧瓦棒３０に対し半小判状金物３８，軒先から突出する化粧瓦棒３０に対し小判状金物３９を装着すると、化粧瓦棒３０内部への雨水の侵入が防がれると共に見栄えも向上する。
【産業上の利用可能性】
【００２２】
以上に説明したように、簡単な操作手順で軒−棟方向に延びる化粧瓦棒３０を横葺き屋根４０に取り付けることができるため、フラットで平凡な印象を与えがちな横葺き屋根にアクセントが付けられる。装着された化粧瓦棒３０は、軒−棟方向，間口方向の何れにも正確に位置決めされているので、仕上がりの見栄えが良く、一般家屋や公共建築物の屋根に適用される。
【図面の簡単な説明】
【図１】先付け型取付金具の分解，組立て斜視図
【図２】後付け型取付金具の分解，組立て斜視図
【図３】半円筒状化粧瓦棒の斜視図
【図４】将棋駒状化粧瓦棒の斜視図
【図５】化粧瓦棒取付作業の説明図
【図６】取付金具の瓦棒支持具で化粧瓦棒を内面から支持している状態を示す断面図
【符号の説明】
１０：先付け型取付金具    ２０：後付け型取付金具    １１，２１：着座片
１１ａ：挿通孔    ２１ａ：ボルト    ２１ｂ：押圧片    １２，２２：固定片
１３，２３：支持面    １３ａ，２３ａ：固着孔    １５，２５：瓦棒支持具
１６，２６：平坦頂面    １６ａ，２６ａ：挿通孔    １７Ｒ，１７Ｌ，２７Ｒ，２７Ｌ：側壁    １８Ｒ，１８Ｌ，２８Ｒ，２８Ｌ：収容空間
３０：化粧瓦棒    ３１Ｒ，３１Ｌ：側壁    ３２Ｒ，３２Ｌ：係合片    ３３Ｒ，３３Ｌ：先端屈曲部    ３４Ｒ，３４Ｌ：ストッパ    ３５：補強瓦棒    ３８：半小判状金物    ３９：小判状金物
４０：横葺き屋根    ４１：野地板    ４２１，４２２・・・・・・４２ｎ：金属屋根板
４３：墨打ち線    ４４：捨て板
【図１】
2005002584.tif 000003
【図２】
2005002584.tif 000004
【図３】
2005002584.tif 000005
【図４】
2005002584.tif 000006
【図５】
2005002584.tif 000007
【図６】
2005002584.tif 000008